(57)【要約】【課題】開封部分を具備する被着体に貼着されることで被着体の開封を確実に検知する。【解決手段】２つのシート部１ａ，１ｂが連接してなるインレットシート２０と、２つのシート部１ａ，１ｂとに亘ってインレットシート２０に形成された配線２３と、配線２３の断線を検出するＩＣチップ２１と、ＩＣチップ２１における検出結果を無線送信するアンテナ２２とを有し、配線２３は、２つのシート部１ａ，１ｂのそれぞれに、２つのシート部１ａ，１ｂの境界線に沿って延びた断線検出部２３ａ，２３ｂを有し、シート部１ａの断線検出部２３ａに沿う領域に、突出側とは反対側が開口した略Ｕ字状からなり、開口側が断線検出部２３ａ側を向いて形成された切り込み１１ａと、シート部１ｂの断線検出部２３ｂに沿う領域に、突出側とは反対側が開口した略Ｕ字状からなり、開口側が断線検出部側２３ｂを向いて形成された切り込み１２ａ，１２ｂとを有する。【選択図】図１
2019144318.tif 000002
【特許請求の範囲】
【請求項１】
第１のシート部と第２のシート部とが連接してなるシート基材と、第１のシート部と第２のシート部とに亘って前記シート基材に形成された配線と、前記配線の断線を検出するＩＣチップと、前記ＩＣチップに接続され、前記ＩＣチップにおける検出結果を無線送信する通信用アンテナとを有する開封検知ラベルにおいて、
前記配線は、前記第１のシート部と前記第２のシート部とのそれぞれにおいて、前記第１のシート部と前記第２のシート部との境界線に沿う領域に、前記境界線に直交しない方向に延びた断線検出部を有し、
前記第１のシート部の前記断線検出部の前記境界線とは反対側にて前記断線検出部に沿う領域に、突出側とは反対側が開口した凸形状からなり、開口側が前記断線検出部側を向いて形成された少なくとも１つの第１の切り込みと、
前記第２のシート部の前記断線検出部の前記境界線とは反対側にて前記断線検出部に沿う領域に、突出側とは反対側が開口した凸形状からなり、開口側が前記断線検出部側を向いて形成された少なくとも１つの第２の切り込みとを有する、開封検知ラベル。
【請求項２】
請求項１に記載の開封検知ラベルにおいて、
前記通信用アンテナは、前記第２のシート部の前記第２の切り込みの前記突出側に設けられ、
前記第１の切り込みのうち１つは、開口側の両端部の前記第１のシート部と前記第２のシート部との連接方向における延長線上に前記断線検出部が存在するように形成された第１の特定切り込みであり、
前記第２の切り込みを２つ以上有し、該２つ以上の第２の切り込みのうち前記境界線が延びる方向に並んだ２つは、それぞれ、開口側の端部のうち一方が前記第１の特定切り込みの両端部間に対向するように形成された第２の特定切り込みである、開封検知ラベル。
【請求項３】
請求項１または請求項２に記載の開封検知ラベルにおいて、
前記第１及び第２の切り込みは、その一部にタイ部を有する、開封検知ラベル。
【発明の詳細な説明】
【技術分野】
【０００１】
本発明は、被着体の開封を検知する開封検知ラベルに関する。
【背景技術】
【０００２】
従来、開封部分を具備する被着体にラベルを貼着しておき、ラベルが剥離されたり破断されたりした場合にそれを検知することで、被着体が開封されたことを検知するための様々な工夫がなされている。このような仕組みは、例えば、医薬品が収納された箱の開封部分にラベルを貼着していくことで、箱が開封されて医薬品が使用されたかどうかを検知する際に有効なものである。近年では、ＩＣチップを用いて被着体の開封を検知する仕組みが考えられている。ＩＣチップを用いて被着体の開封を検知する仕組みでは、被着体の受け渡し時に目視によらずに容易に開封を検知することができるとともに、複数の被着体について開封されたかどうかを同時に検知することもできる。
【０００３】
このようにＩＣチップを用いて開封を検知するものとしては、例えば、断線検知機能を有するＩＣチップにループ状の配線を接続しておき、配線の断線を検出することで被着体の開封を検知可能とするＩＣタグが、特許文献１に開示されている。このようなＩＣタグにおいては、被着体に対して、ループ状の配線が被着体の開封部分に跨るように貼着しておけば、被着体が開封された際に配線が断線し、その断線を検出することで被着体が開封されたことを検知することができる。
【先行技術文献】
【特許文献】
【０００４】
【特許文献１】特許第５６８２３８９号公報
【発明の概要】
【発明が解決しようとする課題】
【０００５】
しかしながら、上述したように、ただ単に、ループ状の配線を設け、被着体に対してループ状の配線が被着体の開封部分に跨るように貼着しておき、配線が断線したことを検出することで被着体の開封を検知する構成を有するラベルにおいては、ラベルを被着体からゆっくり剥がす等、配線が断線しないように剥離することが可能であるため、被着体の開封を確実に検知することができるとは言い難い。
【０００６】
本発明は、上述したような従来の技術が有する問題点に鑑みてなされたものであって、被着体の開封を確実に検知することができる開封検知ラベルを提供することを目的とする。
【課題を解決するための手段】
【０００７】
上記目的を達成するために本発明は、
第１のシート部と第２のシート部とが連接してなるシート基材と、第１のシート部と第２のシート部とに亘って前記シート基材に形成された配線と、前記配線の断線を検出するＩＣチップと、前記ＩＣチップに接続され、前記ＩＣチップにおける検出結果を無線送信する通信用アンテナとを有する開封検知ラベルにおいて、
前記配線は、前記第１のシート部と前記第２のシート部とのそれぞれにおいて、前記第１のシート部と前記第２のシート部との境界線に沿う領域に、前記境界線に直交しない方向に延びた断線検出部を有し、
前記第１のシート部の前記断線検出部の前記境界線とは反対側にて前記断線検出部に沿う領域に、突出側とは反対側が開口した凸形状からなり、開口側が前記断線検出部側を向いて形成された少なくとも１つの第１の切り込みと、
前記第２のシート部の前記断線検出部の前記境界線とは反対側にて前記断線検出部に沿う領域に、突出側とは反対側が開口した凸形状からなり、開口側が前記断線検出部側を向いて形成された少なくとも１つの第２の切り込みとを有する。
【０００８】
上記のように構成された本発明においては、第１のシート部と第２のシート部との境界線が開封部分に対向するように被着体に貼着された状態において、被着体を開封するために第１のシート部と第２のシート部との境界線が破断されると、第１のシート部と第２のシート部とに亘って配線が形成されており、ＩＣチップにて配線の断線が検出されるので、この検出結果が通信用アンテナを介して無線送信されることで、被着体が開封されたことが検知される。また、第１のシート部の第２のシート部との境界線とは反対側の端辺から剥離されると、第１のシート部においては、配線が第２のシート部との境界線に沿う領域に境界線に直交しない方向に延びた断線検出部を有するとともに、この断線検出部に沿う領域に、突出側とは反対側が開口した凸形状からなる第１の切り込みが、開口側が断線検出部側を向いて形成されているため、開封検知用ラベルの第１のシート部が被着体から剥離していくものの、第１の切り込みに囲まれた領域だけは被着体に貼着されたままの状態となり、それにより、第１のシート部の第１の切り込みに囲まれた領域が他の領域から破断していく。第１のシート部の第１の切り込みに囲まれた領域が他の領域から破断していくと、第１のシート部の第１の切り込みの開口側端部の第２のシート部との境界線側には、配線の断線検出部が形成されているので、この配線検出部が断線することになる。そのため、ＩＣチップにて断線検出部における配線の断線を検出し、その検出結果を通信用アンテナを介して無線送信することにより、開封検知ラベルが被着体から剥離されて被着体が開封された旨が検知されることになる。また、第２のシート部の第１のシート部との境界線とは反対側の端辺から剥離されると、第２のシート部においては、配線が第１のシート部との境界線に沿う領域に境界線に直交しない方向に延びた断線検出部を有するとともに、この断線検出部に沿う領域に、突出側とは反対側が開口した凸形状からなる第２の切り込みが、開口側が断線検出部側を向いて形成されているため、開封検知用ラベルの第２のシート部が被着体から剥離していくものの、第２の切り込みに囲まれた領域だけは被着体に貼着されたままの状態となり、それにより、第２のシート部の第２の切り込みに囲まれた領域が他の領域から破断していく。第２のシート部の第２の切り込みに囲まれた領域が他の領域から破断していくと、第２のシート部の第２の切り込みの開口側端部の第１のシート部との境界線側には、配線の断線検出部が形成されているので、この配線検出部が断線することになる。そのため、ＩＣチップにて配線の断線検出部における断線を検出し、その検出結果を通信用アンテナを介して無線送信することにより、開封検知ラベルが被着体から剥離されて被着体が開封された旨が検知されることになる。
【０００９】
このように本発明の開封検知ラベルにおいては、第１のシート部と第２のシート部との境界線が開封部分に対向するように被着体に貼着された状態において、第１のシート部の第２のシート部との境界線とは反対側の端辺や、第１のシート部の第２のシート部との境界線とは反対側の端辺から剥離された場合に、第１のシート部に形成された第１の切り込みや第２のシート部に形成された第２の切り込みによって第１のシート部または第２のシート部が破断していき、配線が断線検出部にて断線することになるので、配線が断線検出部にて断線した旨が無線送信されることにより、開封検知ラベルが被着体から剥離されて被着体が開封された旨を確実に検知することができる。
【００１０】
また、通信用アンテナが第２のシート部の第２の切り込みの突出側に設けられた構成において、第１の切り込みのうち１つが、開口側の両端部の第１のシート部と第２のシート部との連接方向における延長線上に断線検出部が存在するように形成された第１の特定切り込みとなり、また、第２の切り込みを２つ以上有し、２つ以上の第２の切り込みのうち境界線が延びる方向に並んだ２つがそれぞれ、開口側の端部のうち一方が第１の特定切り込みの両端部間に対向するように形成された第２の特定切り込みとなれば、開封検知ラベルが第１のシート部の第２のシート部との境界線とは反対側の端辺から剥離された場合に、第１の切り込みからの破断部分が第２のシート部の第２の切り込みで止まることになり、通信用アンテナが破壊されてしまうことが回避される。
【００１１】
また、第１及び第２の切り込みがその一部にタイ部を有するものであれば、被着体への貼着前の状態にて第１及び第２の切り込みの凸形状に囲まれた領域が垂れ下がってしまって被着体に貼着しにくくなることが回避されるとともに、製造工程において、ロール状に巻き取られたり湾曲して搬送されたりする際に第１及び第２の切り込みから不用意に破断してしまうことが回避される。
【発明の効果】
【００１２】
本発明によれば、第１のシート部と第２のシート部との境界線が開封部分に対向するように被着体に貼着された状態において、第１のシート部の第２のシート部との境界線とは反対側の端辺や、第１のシート部の第２のシート部との境界線とは反対側の端辺から剥離された場合に、第１のシート部に形成された第１の切り込みや第２のシート部に形成された第２の切り込みによって第１のシート部または第２のシート部が破断していき、配線が断線検出部にて断線することになるため、配線が断線検出部にて断線した旨を無線送信することにより、開封検知ラベルが被着体から剥離されて被着体が開封された旨を確実に検知することができる。
【００１３】
また、通信用アンテナが第２のシート部の第２の切り込みの突出側に設けられた構成において、第１の切り込みのうち１つが、開口側の両端部の第１のシート部と第２のシート部との連接方向における延長線上に断線検出部が存在するように形成された第１の特定切り込みであり、また、第２の切り込みを２つ以上有し、２つ以上の第２の切り込みのうち境界線が延びる方向に並んだ２つがそれぞれ、開口側の端部のうち一方が第１の特定切り込みの両端部間に対向するように形成された第２の特定切り込みであるものにおいては、開封検知ラベルが第１のシート部の第２のシート部との境界線とは反対側の端辺から剥離された場合に、第１の切り込みからの破断部分が第２のシート部の第２の切り込みで止まることになり、通信用アンテナが破壊されてしまうことを回避できる。
【００１４】
また、第１及び第２の切り込みがその一部にタイ部を有するものにおいては、被着体への貼着前の状態にて第１及び第２の切り込みの凸形状に囲まれた領域が垂れ下がってしまって被着体に貼着しにくくなることを回避できるとともに、製造工程において、ロール状に巻き取られたり湾曲して搬送されたりする際に第１及び第２の切り込みから不用意に破断してしまうことを回避できる。
【図面の簡単な説明】
【００１５】
【図１】本発明の開封検知ラベルの実施の一形態を示す図であり、（ａ）は表面図、（ｂ）は（ａ）に示したＡ−Ａ’断面図、（ｃ）は（ｂ）に示したインレットシートの表面の構成を示す図である。
【図２】図１に示した開封検知ラベルの使用形態の一例を示す図である。
【図３】図１に示した開封検知レベルが被着体から剥離される際の作用を説明するための図である。
【図４】図１に示した開封検知レベルが被着体から剥離される際の作用を説明するための図である。
【図５】本発明の開封検知ラベルの他の実施の形態を示す図であり、（ａ）は表面図、（ｂ）は（ａ）に示したＡ−Ａ’断面図、（ｃ）は（ｂ）に示したインレットシートの表面の構成を示す図である。
【図６】本発明の開封検知ラベルの他の実施の形態を示す図であり、（ａ）は表面図、（ｂ）は（ａ）に示したＡ−Ａ’断面図、（ｃ）は（ｂ）に示したインレットシートの表面の構成を示す図である。
【図７】本発明の開封検知ラベルの他の実施の形態を示す図であり、（ａ）は表面図、（ｂ）は（ａ）に示したＡ−Ａ’断面図、（ｃ）は（ｂ）に示したインレットシートの表面の構成を示す図である。
【図８】本発明の開封検知ラベルの他の実施の形態を示す図であり、（ａ）は表面図、（ｂ）は（ａ）に示したＡ−Ａ’断面図、（ｃ）は（ｂ）に示したインレットシートの表面の構成を示す図である。
【図９】本発明の開封検知ラベルの他の実施の形態を示す図であり、（ａ）は表面図、（ｂ）は（ａ）に示したＡ−Ａ’断面図、（ｃ）は（ｂ）に示したインレットシートの表面の構成を示す図である。
【図１０】図１に示した開封検知ラベルに設けられる切り込みの他の形態を示す図である。
【発明を実施するための形態】
【００１６】
以下に、本発明の実施の形態について図面を参照して説明する。
【００１７】
図１は、本発明の開封検知ラベルの実施の一形態を示す図であり、（ａ）は表面図、（ｂ）は（ａ）に示したＡ−Ａ’断面図、（ｃ）は（ｂ）に示したインレットシート２０の表面の構成を示す図である。
【００１８】
本形態は図１に示すように、互いに同一形状の表面シート１０とインレットシート２０とが積層され、これら表面シート１０とインレットシート２０とが貼着されてなる開封検知ラベル１である。表面シート１０及びインレットシート２０は、第１のシート部１ａと第２のシート部１ｂとが連接して構成されている。第１のシート部１ａと第２のシート部１ｂとの境界線には、表面シート１０及びインレットシート２０を表裏貫通したミシン目１ｃが形成されている。
【００１９】
シート部１ａは、第１の切り込み１１ａが形成されているとともに、シート部１ｂとの境界線となるミシン目１ｃの両端部に三角形状の切り欠き１ｄが形成されている。切り込み１１ａは、第１の特定切り込みとなるものであって、突出側とは反対側が開口した略Ｕ字状からなり、開口側がミシン目１ｃを向いて形成されている。
【００２０】
シート部１ｂは、２つの第２の切り込み１２ａ，１２ｂが形成されている。２つの切り込み１２ａ，１２ｂは、第２の特定切り込みとなるものであって、突出側とは反対側が開口した略Ｕ字状からなり、開口側がミシン目１ｃを向いて横並びに形成されている。そして、切り込み１２ａ，１２ｂはそれぞれ、開口側の端部のうち一方が切り込み１１ａの両端部間に対向するように形成されている。
【００２１】
表面シート１０のインレットシート２０との貼着面には、その全面に接着層３０が積層されており、この接着層３０によって表面シート１０とインレットシート２０とが貼着されている。
【００２２】
インレットシート２０は、本発明におけるシート基材となるものである。インレットシート２０の表面シート１０との貼着面のうちシート部１ｂとなる領域には、切り込み１２ａ，１２ｂの突出側に通信用アンテナ２２が形成されているとともに、このアンテナ２２に接続されたＩＣチップ２１が搭載されている。また、インレットシート２０の表面シート１０との貼着面には配線２３が形成されている。配線２３は、一端がシート部１ｂにおいてＩＣチップ２１に接続され、そこからシート部１ａまで延びてシート部１ａにて折り返して他端がシート部１ｂにおいてＩＣチップ２１に接続されている。これにより、配線２３は、シート部１ａとシート部１ｂとに亘ってインレットシート２０に形成されていることになる。また配線２３は、シート部１ａ，１ｂのそれぞれにおいて、ミシン目１ｃに沿って延びた断線検出部２３ａ，２３ｂを有している。
【００２３】
このようにインレットシート２０に形成された配線２３に対して、切り込み１１ａは、開口側の両端部のシート部１ａとシート部１ｂとの連接方向における延長線上に断線検出部２３ａが存在するように形成されており、また、切り込み１２ａ，１２ｂは、開口側の端部のうち切り込み１１ａの両端部間に対向する端部のシート部１ａとシート部１ｂとの連接方向における延長線上に断線検出部２３ｂが存在するように形成されている。
【００２４】
配線２３及びアンテナ２２は、例えば、導電性インキを用いた印刷によってインレットシート２０に形成されている。
【００２５】
ＩＣチップ２１は、断線検出機能を具備し、配線２３が断線した場合にその旨を検出するとともに、アンテナ２２を介して外部装置と通信可能に構成され、検出結果をアンテナ２２を介して無線送信する。ＩＣチップ２１としては例えば、NXP semiconductors社製のUCODE G2iM+やNTAG213TT等が挙げられる。
【００２６】
インレットシート２０の表面シート１０との貼着面とは反対側の面には、その全面に粘着層４０が積層されている。
【００２７】
以下に、上記のように構成された開封検知ラベル１の使用方法について説明する。
【００２８】
まず、開封検知ラベル１の使用形態について説明する。
【００２９】
図２は、図１に示した開封検知ラベル１の使用形態の一例を示す図である。
【００３０】
図１に示した開封検知ラベル１は、例えば図２に示すように、被着体となるパッケージ２に貼着され、パッケージ２の開封検知手段として使用される。パッケージ２は、上面が開口した本体２ａ上に、一辺を回転軸として回転自在な蓋２ｂを有し、この蓋２ｂが開かれることで開封されることになる。そのため、蓋２ｂが閉じられた際に回転軸に対向する辺部が、パッケージ２の開封部分２ｃとなる。
【００３１】
このようなパッケージ２に開封検知ラベル１を貼着する場合は、図２に示すように、ミシン目１ｃがパッケージ２の開封部分２ｃに対向するように開封検知ラベル１を粘着層３０によってパッケージ２に貼着する。このように開封検知ラベル１がパッケージ２に貼着されることにより、パッケージ２は、開封検知ラベル１のミシン目１ｃを破断するか、開封検知ラベル１をパッケージ２から剥離しなければ開封することができない状態となる。
【００３２】
次に、上記のように開封検知ラベル１が貼着されたパッケージ２が開封される際の作用について説明する。
【００３３】
図３及び図４は、図１に示した開封検知ラベル１が被着体から剥離される際の作用を説明するための図である。なお、図３及び図４においては、説明をわかりやすくするために開封検知ラベル１が平面に貼着された状態から剥離される様子を示す。
【００３４】
例えば、図１に示した開封検知ラベル１が図２に示したようにパッケージ２に貼着された後、パッケージ２を開封するために開封検知ラベル１のミシン目１ｃが破断されると、開封検知ラベル１のシート部１ａとシート部１ｂとに亘って配線２３が形成されているため、ミシン目１ｃの破断に伴ってこの配線２３が断線されることになる。具体的には、配線２３のうち断線検出部２３ａ，２３ｂ間にてミシン目１ｃに垂直な方向に延びる領域が断線されることになる。配線２３が断線されると、開封検知ラベル１のＩＣチップ２１にて配線２３の断線が検出されるので、この検出結果がアンテナ２２を介して無線送信されることで、パッケージ２が開封されたことが検知されることになる。
【００３５】
また、図１に示した開封検知ラベル１が図２に示したようにパッケージ２に貼着された後、パッケージ２を開封するためにシート部１ａのミシン目１ｃとは反対側の端辺から剥離された場合は、図３（ａ）に示すように、シート部１ａには、突出側とは反対側が開口した略Ｕ字状の切り込み１１ａが、開口側がミシン目１ｃ側を向いて形成されているため、シート部１ａがパッケージ２から剥離していくものの、切り込み１１ａに囲まれた領域だけはパッケージ２に貼着されたままの状態となる。
【００３６】
そして、シート部１ａをパッケージ２から剥離していき、シート部１ａのパッケージ２からの剥離領域が切り込み１１ａの開口部側の端部に達すると、図３（ｂ）に示すように、シート部１ａが、切り込み１１ａの開口部側の端部からシート部１ａの剥離方向、すなわちミシン目１ｃに向かう方向の延長線上に破断していく。
【００３７】
すると、切り込み１１ａの開口部側の端部からミシン目１ｃに向かう方向の延長線上には、配線２３の断線検出部２３ａが設けられているため、シート部１ａの破断に伴って配線２３が断線検出部２３ａにて断線する。
【００３８】
さらにシート部１ａに続いてシート部１ｂをパッケージ２から剥離していくと、シート部１ｂがシート部１ａに引き続き破断し、シート部１ｂの破断に伴って配線２３の断線検出部２３ｂが断線する。
【００３９】
その後、シート部１ｂのパッケージ２からの破断部分がミシン目１ｃから離れる方向に延びていくと、シート部１ｂに形成された切り込み１２ａ，１２ｂのそれぞれが、開口側の端部のうち一方が切り込み１１ａの両端部間に対向するように形成されていることにより、シート部１ｂの破断部分が切り込み１２ａ，１２ｂにぶつかることになる。
【００４０】
すると、シート部１ｂの破断部分が切り込み１２ａ，１２ｂに繋がり、その後、図３（ｃ）に示すように、シート部１ｂが、切り込み１２ａの切り込み１２ｂとは反対側の端部近傍と、切り込み１２ｂの切り込み１２ａとは反対側の端部近傍とにてシート部１ｂの外側に破断していき、開封検知ラベル１のうち、シート部１ｂの切り込み１２ａ，１２ｂのそれぞれによって囲まれた領域を除いた領域と、シート部１ａの切り込み１１ａによって囲まれた領域のみがパッケージ２に貼着されたままの状態となり、開封検知ラベル１が２つに分離することになる。
【００４１】
開封検知ラベル１が上記のように２つに分離した状態においては、配線２３が断線検出部２３ａ，２３ｂにて断線しているため、開封検知ラベル１をパッケージに再度貼着したとしても、配線２３の断線を検出することで、パッケージ２の開封が検知されることになる。
【００４２】
その際、配線２３の断線は上述するようにＩＣチップ２１にて検出され、その検出結果がアンテナ２２を介して無線送信されることになるが、アンテナ２２が、シート部１ｂの切り込み１２ａ，１２ｂの突出側に設けられており、また、上述したように、シート部１ａ側からの破断部分が、切り込み１２ａ，１２ｂにぶつかり、その後、切り込み１２ａ，１２ｂに繋がって切り込み１２ａ，１２ｂの端部近傍にて開封検知ラベル１の外側に破断していくことで、切り込み１１ａからの開封検知ラベル１の破断部分がシート部１ｂの切り込み１２ａ，１２ｂで止まることになるため、アンテナ２２が破壊されてしまうことが回避される。
【００４３】
また、図１に示した開封検知ラベル１が図２に示したようにパッケージ２に貼着された後、パッケージ２を開封するためにシート部１ｂのミシン目１ｃとは反対側の端辺から剥離された場合は、図４（ａ）に示すように、シート部１ｂには、突出側とは反対側が開口した略Ｕ字状の切り込み１２ａ，１２ｂが、開口側がミシン目１ｃ側を向いて形成されているため、シート部１ｂがパッケージ２から剥離していくものの、切り込み１２ａ，１２ｂにそれぞれ囲まれた領域だけはパッケージ２に貼着されたままの状態となる。
【００４４】
そして、シート部１ｂをパッケージ２から剥離していき、シート部１ｂのパッケージ２からの剥離領域が切り込み１２ａ，１２ｂの開口部側の端部に達すると、図４（ｂ）に示すように、シート部１ｂが、切り込み１２ａ，１２ｂの開口部側の端部からシート部１ｂの剥離方向、すなわちミシン目１ｃに向かう方向の延長線上に破断していく。
【００４５】
すると、切り込み１２ａ，１２ｂのそれぞれの開口部側の１つの端部からミシン目１ｃに向かう方向の延長線上には、配線２３の断線検出部２３ｂが設けられているため、シート部１ｂの破断に伴って配線２３が断線検出部２３ｂにて断線する。
【００４６】
さらにシート部１ｂに続いてシート部１ａをパッケージ２から剥離していくと、シート部１ａがシート部１ｂに引き続き破断し、シート部１ａの破断に伴って配線２３の断線検出部２３ａが断線する。
【００４７】
その後、シート部１ｂのパッケージ２からの破断部分がミシン目１ｃから離れる方向に延びていくと、シート部１ｂに形成された切り込み１２ａ，１２ｂのそれぞれが、開口側の端部のうち一方が切り込み１１ａの両端部間に対向するように形成されていることにより、シート部１ａの切り込み１２ａ，１２ｂのそれぞれの一方の端部からの破断部分が切り込み１１ａにぶつかることになる。
【００４８】
一方、シート部１ａの切り込み１２ａ，１２ｂのそれぞれの他方の端部からの破断部分は、シート部１ｂの切り欠き１ｄに隣接する端辺にて達することになり、それにより、図４（ｃ）に示すように、開封検知ラベル１のうち、シート部１ａの切り込み１１によって囲まれた領域の一部を除いた領域と、シート部１ｂの切り込み１２ａ，１２ｂのそれぞれによって囲まれた領域のみがパッケージ２に貼着されたままの状態となり、開封検知ラベル１が２つに分離することになる。
【００４９】
開封検知ラベル１が上記のように２つに分離した状態においては、配線２３が断線検出部２３ａ，２３ｂにて断線しているため、開封検知ラベル１をパッケージに再度貼着したとしても、配線２３の断線を検出することで、パッケージ２の開封が検知されることになる。この場合においても、アンテナ２２が、シート部１ｂの切り込み１２ａ，１２ｂの突出側に設けられており、シート部１ｂが切り込み１２ａ，１２ｂの開口部側に破断していくことになるため、アンテナ２２が破壊されてしまうことが回避される。
【００５０】
上記のように配線２３が断線した開封検知ラベル１は、ＩＣチップ２１に対して非接触通信可能なリーダを開封検知ラベル１に翳すことで、リーダから供給された電力によって配線２３に電流が流れ、この電流がＩＣチップ２１にて検知されるか否かによって配線２３が断線しているかどうかが検出される。
【００５１】
その場合、ＩＣチップ２１において、電流が検知された場合は、フラグ情報として“１”が設定され、また、電流が検知されなかった場合は、フラグ情報として“０”が設定され、これらフラグ情報が配線２３の断線状態の検出結果としてアンテナ２２を介して無線送信される。
【００５２】
そして、リーダにおいて、受信したフラグ情報が“１”である場合は、開封検知ラベル１が貼着されたパッケージ２が開封されていないと判断され、受信したフラグ情報が“０”である場合は、開封検知ラベル１が貼着されたパッケージ２が開封されたと判断される。それにより、開封検知ラベル１がパッケージ２から一度剥離されてパッケージ２が開封された後に開封検知ラベル１がパッケージ２に再度貼着されたとしても、パッケージ２が開封された旨を確実に検知することができる。また、開封検知ラベル１のミシン目１ｃが破断されてパッケージ２が開封された場合でも、パッケージ２が開封された旨を目視によらずに確実に検知することができる。
【００５３】
（他の実施の形態）
図５は、本発明の開封検知ラベルの他の実施の形態を示す図であり、（ａ）は表面図、（ｂ）は（ａ）に示したＡ−Ａ’断面図、（ｃ）は（ｂ）に示したインレットシート１２０の表面の構成を示す図である。
【００５４】
本形態は図５に示すように、図１に示したものに対して、シート部１０１ａに３つの第１の切り込み１１１ａ〜１１１ｃが形成されるとともに、シート部１０１ｂに４つの第２の切り込み１１２ａ〜１１２ｄが形成されている点が異なる開封検知ラベル１０１である。
【００５５】
３つの切り込み１１１ａ〜１１１ｃは、図１に示した切り込み１１ａと同様に、突出側とは反対側が開口した略Ｕ字状からなり、開口側がミシン目１０１ｃを向いて形成されており、ミシン目１０１ｃに沿って横並びに形成されている。これら３つの切り込み１１１ａ〜１１１ｃのうち、中央に位置する切り込み１１１ａが本発明における第１の特定切り込みとなる。
【００５６】
４つの切り込み１１２ａ〜１１２ｄは、図１に示した切り込み１２ａと同様に、突出側とは反対側が開口した略Ｕ字状からなり、開口側がミシン目１０１ｃを向いて形成されており、ミシン目１０１ｃに沿って横並びに形成されている。これら４つの切り込み１１２ａ〜１１２ｄのうち、中央に位置する２つの切り込み１１２ａ，１１２ｂが本発明における第２の特定切り込みとなる。そして、切り込み１１２ａ，１１２ｂはそれぞれ、開口側の端部のうち一方の端部が切り込み１１１ａの両端部間に対向し、他方の端部が切り込み１１１ｂ，１１１ｃのそれぞれの両端部間に対向するように形成されている。また、切り込み１１２ａ，１１２ｂの外側に形成された切り込み１１２ｃ，１１２ｄはそれぞれ、開口側の端部のうち一方の端部が切り込み１１１ｂ，１１１ｃの両端部間にそれぞれ対向するように形成されている。なお、切り込み１１２ｃ，１１２ｄは、それぞれの開口側の端部のうち一方の端部が、切り込み１１１ｂ，１１１ｃの両端部間にそれぞれ対向しないように形成されていてもよい。
【００５７】
また、切り込み１１１ａは、インレットシート１２０に形成された配線１２３に対して、開口側の両端部のシート部１０１ａとシート部１０１ｂとの連接方向における延長線上に断線検出部１２３ａが存在するように形成されており、また、切り込み１１２ａ，１１２ｂは、開口側の端部のうち切り込み１１１ａの両端部間に対向する端部のシート部１０１ａとシート部１０１ｂとの連接方向における延長線上に断線検出部１２３ｂが存在するように形成されている。
【００５８】
上記のように構成された開封検知ラベル１０１においても、図２に示したようにパッケージ２に貼着された後、パッケージ２を開封するためにシート部１０１ａのミシン目１０１ｃとは反対側の端辺から剥離された場合は、切り込み１１１ａ〜１１１ｃをきっかけとしてシート部１０１ａが破断し、インレットシート１２０に形成された配線１２３がシート部１０１ａの破断に伴って断線検出部１２３ａにて断線し、さらに引き続きシート部１０１ｂの破断に伴って配線１２３が断線検出部１２３ｂにおいても断線し、この断線が検出されることで、パッケージ２から開封検知ラベル１０１が剥離されてパッケージ２が開封された旨が検知されることになる。また、図２に示したようにパッケージ２に貼着された後、パッケージ２を開封するためにシート部１０１ｂのミシン目１０１ｃとは反対側の端辺から剥離された場合は、切り込み１１２ａ〜１１２ｄをきっかけとしてシート部１０１ｂが破断し、インレットシート１２０に形成された配線１２３がシート部１０１ｂの破断に伴って断線検出部１２３ｂにて断線し、さらに引き続きシート部１０１ａの破断に伴って配線１２３が断線検出部１２３ａにおいても断線し、この断線が検出されることで、パッケージ２から開封検知ラベル１０１が剥離されてパッケージ２が開封された旨が検知されることになる。
【００５９】
この際、本形態における開封検知ラベル１０１においては、図１に示したものに対して、切り込み１１１ａの両側にそれぞれ切り込み１１１ｂ，１１１ｃが形成されている。そのため、図２に示したようにパッケージ２に貼着された後、シート部１０１ａのミシン目１０１ｃとは反対側の端辺から剥離された際、切り込み１１１ａの両側において、シート部１０１ａのパッケージ２から剥離される領域の面積が狭くなるため、シート部１０１ａをパッケージ２から剥離しやすくなり、シート部１０１ａのうち切り込み１１１ａ〜１１１ｃによって囲まれていない領域のみがパッケージ２から確実に剥離していくものとすることができる。また、本形態における開封検知ラベル１０１においては、図１に示したものに対して、切り込み１１２ａの切り込み１１２ｂとは反対側に切り込み１１２ｃが形成されているとともに、切り込み１１２ｂの切り込み１１２ａとは反対側に切り込み１１２ｄが形成されている。そのため、図２に示したようにパッケージ２に貼着された後、シート部１０１ｂのミシン目１０１ｃとは反対側の端辺から剥離された際、切り込み１１２ａの切り込み１１２ｂとは反対側と、切り込み１１２ｂの切り込み１１２ａとは反対側とのそれぞれにおいて、シート部１０１ｂのパッケージ２から剥離される領域の面積が狭くなるため、シート部１０１ｂをパッケージ２から剥離しやすくなり、シート部１０１ｂのうち切り込み１１２ａ〜１１２ｄによって囲まれていない領域のみがパッケージ２から確実に剥離していくものとすることができる。
【００６０】
また、本形態における開封検知ラベル１０１においても、図２に示したようにパッケージ２に貼着された後、開封検知ラベル１０１のミシン目１０１ｃが破断されてパッケージ１０２が開封された場合でも、配線１２３が断線するため、この断線が検出されることで、パッケージ２から開封検知ラベル１が剥離されてパッケージ２が開封された旨が検知される。
【００６１】
図６は、本発明の開封検知ラベルの他の実施の形態を示す図であり、（ａ）は表面図、（ｂ）は（ａ）に示したＡ−Ａ’断面図、（ｃ）は（ｂ）に示したインレットシート２２０の表面の構成を示す図である。
【００６２】
本形態は図６に示すように、図５に示したものに対して、切り込み１１２ｃ，１１２ｄを有さない点が異なる開封検知ラベル２０１である。
【００６３】
本形態における開封検知ラベル２０１においても、図２に示したようにパッケージ２に貼着された後、パッケージ２を開封するためにシート部２０１ａのミシン目２０１ｃとは反対側の端辺から剥離された場合は、切り込み２１１ａ〜２１１ｃをきっかけとしてシート部２０１ａが破断し、インレットシート２２０に形成された配線２２３がシート部２０１ａの破断に伴って断線検出部２２３ａにて断線し、さらに引き続きシート部２０１ｂの破断に伴って配線２２３が断線検出部２２３ｂにおいても断線し、この断線が検出されることで、パッケージ２から開封検知ラベル２０１が剥離されてパッケージ２が開封された旨が検知されることになる。また、図２に示したようにパッケージ２に貼着された後、パッケージ２を開封するためにシート部２０１ｂのミシン目２０１ｃとは反対側の端辺から剥離された場合は、切り込み２１２ａ，２１２ｂをきっかけとしてシート部２０１ｂが破断し、インレットシート２２０に形成された配線２２３がシート部２０１ｂの破断に伴って断線検出部２２３ｂにて断線し、さらに引き続きシート部２０１ａの破断に伴って配線２２３が断線検出部２２３ａにおいても断線し、この断線が検出されることで、パッケージ２から開封検知ラベル２０１が剥離されてパッケージ２が開封された旨が検知されることになる。
【００６４】
図７は、本発明の開封検知ラベルの他の実施の形態を示す図であり、（ａ）は表面図、（ｂ）は（ａ）に示したＡ−Ａ’断面図、（ｃ）は（ｂ）に示したインレットシート３２０の表面の構成を示す図である。
【００６５】
本形態は図７に示すように、図６に示したものに対して、切り欠き３０１ｄの形状が異なる開封検知ラベル３０１である。本形態の開封検知ラベル３０１における切り欠き３０１ｄは、シート部３０１ａ，３０１ｂそれぞれにおけるミシン目３０１ｃの両端部に略四角形状となって形成されている。
【００６６】
本形態における開封検知ラベル３０１においても、図２に示したようにパッケージ２に貼着された後、パッケージ２を開封するためにシート部３０１ａのミシン目３０１ｃとは反対側の端辺から剥離された場合は、切り込み３１１ａ〜３１１ｃをきっかけとしてシート部３０１ａが破断し、インレットシート３２０に形成された配線３２３がシート部３０１ａの破断に伴って断線検出部３２３ａにて断線し、さらに引き続きシート部３０１ｂの破断に伴って配線３２３が断線検出部３２３ｂにおいても断線し、この断線が検出されることで、パッケージ２から開封検知ラベル３０１が剥離されてパッケージ２が開封された旨が検知される。また、図２に示したようにパッケージ２に貼着された後、パッケージ２を開封するためにシート部３０１ｂのミシン目３０１ｃとは反対側の端辺から剥離された場合は、切り込み３１２ａ，３１２ｂをきっかけとしてシート部３０１ｂが破断し、インレットシート３２０に形成された配線３２３がシート部３０１ｂの破断に伴って断線検出部３２３ｂにて断線し、さらに引き続きシート部３０１ａの破断に伴って配線３２３が断線検出部３２３ａにおいても断線し、この断線が検出されることで、パッケージ２から開封検知ラベル３０１が剥離されてパッケージ２が開封された旨が検知されることになる。
【００６７】
図８は、本発明の開封検知ラベルの他の実施の形態を示す図であり、（ａ）は表面図、（ｂ）は（ａ）に示したＡ−Ａ’断面図、（ｃ）は（ｂ）に示したインレットシート４２０の表面の構成を示す図である。
【００６８】
本形態は図８に示すように、図６に示したものに対して、切り欠き４０１ｄの形状が異なる開封検知ラベル４０１である。本形態の開封検知ラベル４０１における切り欠き４０１ｄは、シート部４０１ｂにおけるシート部４０１ａとの境界線となるミシン目４０１ｃの両端部に三角形状となって形成されている。
【００６９】
本形態における開封検知ラベル４０１においても、図２に示したようにパッケージ２に貼着された後、パッケージ２を開封するためにシート部４０１ａのミシン目４０１ｃとは反対側の端辺から剥離された場合は、切り込み４１１ａ〜４１１ｃをきっかけとしてシート部４０１ａが破断し、インレットシート４２０に形成された配線４２３がシート部４０１ａの破断に伴って断線検出部４２３ａにて断線し、さらに引き続きシート部４０１ｂの破断に伴って配線４２３が断線検出部４２３ｂにおいても断線し、この断線が検出されることで、パッケージ２から開封検知ラベル４０１が剥離されてパッケージ２が開封された旨が検知される。また、図２に示したようにパッケージ２に貼着された後、パッケージ２を開封するためにシート部４０１ｂのミシン目４０１ｃとは反対側の端辺から剥離された場合は、切り込み４１２ａ，４１２ｂをきっかけとしてシート部４０１ｂが破断し、インレットシート４２０に形成された配線４２３がシート部４０１ｂの破断に伴って断線検出部４２３ｂにて断線し、さらに引き続きシート部４０１ａの破断に伴って配線４２３が断線検出部４２３ａにおいても断線し、この断線が検出されることで、パッケージ２から開封検知ラベル４０１が剥離されてパッケージ２が開封された旨が検知されることになる。
【００７０】
図９は、本発明の開封検知ラベルの他の実施の形態を示す図であり、（ａ）は表面図、（ｂ）は（ａ）に示したＡ−Ａ’断面図、（ｃ）は（ｂ）に示したインレットシート４２０の表面の構成を示す図である。
【００７１】
本形態は図９に示すように、図６に示したものに対して、インレットシート８２０の表面シート８１０との貼着面とは反対側の面に接着層８６０を介して裏面シート８５０が貼着され、裏面シート８５０のインレットシート８２０との貼着面とは反対側の面に粘着層８４０が積層されてなる点が異なる開封検知ラベル８０１である。
【００７２】
本形態における開封検知ラベル８０１においても、図２に示したようにパッケージ２に貼着された後、パッケージ２を開封するためにシート部８０１ａのミシン目８０１ｃとは反対側の端辺から剥離された場合は、切り込み８１１ａ〜８１１ｃをきっかけとしてシート部８０１ａが破断し、インレットシート８２０に形成された配線８２３がシート部８０１ａの破断に伴って断線検出部８２３ａにて断線し、さらに引き続きシート部８０１ｂの破断に伴って配線８２３が断線検出部８２３ｂにおいても断線し、この断線が検出されることで、パッケージ２から開封検知ラベル８０１が剥離されてパッケージ２が開封された旨が検知される。また、図２に示したようにパッケージ２に貼着された後、パッケージ２を開封するためにシート部８０１ｂのミシン目８０１ｃとは反対側の端辺から剥離された場合は、切り込み８１２ａ，８１２ｂをきっかけとしてシート部８０１ｂが破断し、インレットシート８２０に形成された配線８２３がシート部８０１ｂの破断に伴って断線検出部８２３ｂにて断線し、さらに引き続きシート部８０１ａの破断に伴って配線８２３が断線検出部８２３ａにおいても断線し、この断線が検出されることで、パッケージ２から開封検知ラベル８０１が剥離されてパッケージ２が開封された旨が検知されることになる。
【００７３】
以下に、本発明の開封検知ラベルに設けられる切り込みの他の形態について説明する。
【００７４】
図１０は、図１に示した開封検知ラベル１に設けられる切り込みの他の形態を示す図である。
【００７５】
上述した実施の形態においては、２つのシート部にそれぞれ形成される切り込みとして、突出側とは反対側が開口した略Ｕ字状からなるものを例に挙げて説明したが、開封検知ラベルが被着体に貼着された後に、２つのシート部の連接方向の両端部から剥離した場合に上述した作用を生じさせるためには、突出側とは反対側が開口した凸形状からなるものであればよく、略Ｕ字状のものに限らない。
【００７６】
例えば、図１０（ａ）に示すように、突出側とは反対側が開口したコの字状の切り込み５１１であってもよいし、図１０（ｂ）に示すように、突出側を１つの頂点としてそれとは反対側が開口した略五角形状の切り込み６１１であってもよい。さらには、図１０（ｃ）に示すように、突出側とは反対側が開口したＶ字状の切り込み７１１であってもよい。
【００７７】
また、上述したような切り込みがその一部にタイ部を有するものであれば、被着体への貼着前の状態にて切り込みの凸形状に囲まれた領域が垂れ下がってしまって被着体に貼着しにくくなることが回避されるとともに、製造工程において、ロール状に巻き取られたり湾曲して搬送されたりする際に切り込みから不用意に破断してしまうことが回避される。
【００７８】
また、上述した実施の形態においては、２つのシート部にそれぞれ設けられた断線検出部が、２つのシート部の境界線に沿って延びているものを例に挙げて説明したが、２つのシート部とのそれぞれにおいて、２つのシート部の境界線に沿う領域に境界線に直交しない方向に延びたものであれば、２つのシート部の境界線に対して斜めに延びていたり、２つの断線検出部によって楕円形を形成したりするものであってもよい。ただし、その場合でも、２つのシート部にそれぞれ形成された切り込みは、断線検出部の２つのシート部の境界線とは反対側にて断線検出部に沿う領域に形成される必要がある。
【００７９】
また、上述した実施の形態においては、インレットシート２０，１２０，２２０，３２０，４２０，８２０のＩＣチップ２１，１２１，２２１，３２１，４２１，８２１が搭載された面に表面シート１０，１１０，２１０，３１０，４１０，８１０が積層され、これら表面シート１０，１１０，２１０，３１０，４１０，８２０とインレットシート２０，１２０，２２０，３２０，４２０，８２０とが接着層３０，１３０，２３０，３３０，４３０，８３０によって貼着され、さらに、開封検知ラベル８０１においては、インレットシート８２０の表面シート８１０との貼着面とは反対側の面に裏面シート８５０が接着層８６０によって貼着された構成を例に挙げて説明したが、本発明では、表面シート１０，１１０，２１０，３１０，４１０及び裏面シート８５０は必須の構成ではない。ただし、インレットシート２０，１２０，２２０，３２０，４２０のＩＣチップ２１，１２１，２２１，３２１，４２１が搭載された面に表面シート１０，１１０，２１０，３１０，４１０が積層されていれば、ＩＣチップ２１，１２１，２２１，３２１，４２１やアンテナ２２，１２２，２２２，３２２，４２２及び配線２３，１２３，２２３，３２３，４２３を保護することができるとともに、開封検知ラベル１の表面に情報を印字することができる。
【符号の説明】
【００８０】
１，１０１，２０１，３０１，４０１，８０１    開封検知ラベル
１ａ，１ｂ，１０１ａ，１０１ｂ，２０１ａ，２０１ｂ，３０１ａ，２０１ｂ，４０１ａ，４０１ｂ，８０１ａ，８０１ｂ    シート部
１ｃ，１０１ｃ，２０１ｃ，３０１ｃ，４０１ｃ，８０１ｃ    ミシン目
１ｄ，１０１ｄ，２０１ｄ，３０１ｄ，４０１ｄ，８０１ｄ    切り欠き
２    パッケージ
２ａ    本体
２ｂ    蓋
２ｃ    開封部分
１０，１１０，２１０，３１０，４１０，８１０    表面シート
１１ａ，１２ａ，１２ｂ，１１１ａ〜１１１ｃ，１１２ａ〜１１２ｄ，２１１ａ〜２１１ｃ，２１２ａ，２１２ｂ，３１１ａ〜３１１ｃ，３１２ａ，３１２ｂ，４１１ａ〜４１１ｃ，４１２ａ，４１２ｂ，５１１，６１１，７１１，８１１ａ〜８１１ｃ，８１２ａ，８１２ｂ    切り込み
２０，１２０，２２０，３２０，４２０，８２０    インレットシート
２１，１２１，２２１，３２１，４２１，８２１    ＩＣチップ
２２，１２２，２２２，３２２，４２２，８２２    アンテナ
２３，１２３，２２３，３２３，４２３，８２３    配線
２３ａ，２３ｂ，１２３ａ，１２３ｂ，２２３ａ，２２３ｂ，３２３ａ，３２３ｂ，４２３ａ，４２３ｂ，８２３ａ，８２３ｂ    断線検出部
３０，１３０，２３０，３３０，４３０，８３０，８８０    接着層
４０，１４０，２４０，３４０，４４０，８４０    粘着層
８５０    裏面シート
【図１】
2019144318.tif 000003
【図２】
2019144318.tif 000004
【図３】
2019144318.tif 000005
【図４】
2019144318.tif 000006
【図５】
2019144318.tif 000007
【図６】
2019144318.tif 000008
【図７】
2019144318.tif 000009
【図８】
2019144318.tif 000010
【図９】
2019144318.tif 000011
【図１０】
2019144318.tif 000012